(57)【要約】      （修正有）【課題】４００℃を優に上回る温度においてであっても蒸気ボイラーシステム内の熱交換パイプの腐食を大幅に低減する熱交換パイプを保護する方法及び装置、並びにセラミック構成部材を提供する。【解決手段】少なくとも２つの対向する面から燃焼排ガスが方向付けられるセラミック構成部材６によって囲まれている少なくとも１つの熱交換パイプ１０を有するボイラーシステム１における熱交換パイプを保護する方法において、ガスを熱交換パイプとセラミック構成部材との間とし、セラミック構成部材に隣接するスペース内に給送する。ガスは熱交換パイプとセラミック要素との間の最も高温の地点に送達する。【選択図】図１
2014139504.tif 000002
【特許請求の範囲】
【請求項１】
少なくとも２つの対向する面から燃焼排ガスが方向付けられるセラミック構成部材（６）によって囲まれている少なくとも１つの熱交換パイプ（１０）を有するボイラーシステム（１）において熱交換パイプ（１０）を保護する方法であって、ガスを、熱交換パイプ（１０）及びセラミック構成部材（６）に隣接するスペース（４８、４９、５０）内に給送することを特徴とする、方法。
【請求項２】
スペース（４８、４９、５０）は前記熱交換パイプ（１０）及び前記セラミック構成部材（６）によって形成されることを特徴とする、請求項１に記載の方法。
【請求項３】
前記ガスを、前記熱交換パイプ（１０）と前記セラミック構成部材（６）との間の最も高温の地点において給送することを特徴とする、請求項１又は２に記載の方法。
【請求項４】
前記ガスを、前記セラミック構成部材（６）を通って経路付けされるガスパイプ（１３）を通して給送することを特徴とする、請求項１〜３のいずれか一項に記載の方法。
【請求項５】
前記ガスを複数の地点で給送することを特徴とする、請求項１〜４のいずれか一項に記載の方法。
【請求項６】
前記ガスを、ガスパイプ（１３）に前記熱交換パイプ（１０）の長さに沿って互いから距離を置いて配置されている複数の孔（５１、５２、５３）を通して給送することを特徴とする、請求項５に記載の方法。
【請求項７】
外周面が少なくとも１つのセラミック構成部材（６）によって囲まれている熱交換パイプを有する装置であって、前記熱交換パイプ（１０）及び前記セラミック構成部材（６）に隣接するスペース（４８、４９、５０）へのガス給送部（１２）を特徴とする、装置。
【請求項８】
前記ガス給送部（１２）はファン（９）を含むことを特徴とする、請求項７に記載の装置。
【請求項９】
前記ガス給送部（１２）は、前記セラミック構成部材（６）を通るガスパイプ（１３）を含むことを特徴とする、請求項７又は８に記載の装置。
【請求項１０】
前記熱交換パイプ（１０）はＵ字形に曲がっており、前記ガス給送部（１２）は屈曲部（３５）の領域において終端していることを特徴とする、請求項７〜９のいずれか一項に記載の装置。
【請求項１１】
前記ガスパイプ（１３）には、前記熱交換パイプ（１０）の長さに沿って互いから距離を置いて複数の孔（５１、５２、５３）が備え付けられていることを特徴とする、請求項９又は１０に記載の装置。
【請求項１２】
好ましくは８５パーセント超の炭化ケイ素を含有し、嵌合する波形トラフによって互いに固定される弓状の波形部（３４）の断面を有する少なくとも２つの直方体のセラミック要素（７）からなるセラミック構成部材（６）であって、２つの熱交換パイプセクションを２つの対向する波形トラフ（３６、３７及び３８、３９）に配置することができ、ガス給送パイプセクションを前記波形トラフの対間の２つの対向する波形トラフ（４０、４１）に配置することができる、セラミック構成部材。
【発明の詳細な説明】
【技術分野】
【０００１】
本発明は、少なくとも２つの対向する面から燃焼排ガスが方向付けられるセラミック構成部材によって囲まれている少なくとも１つの熱交換パイプを有するボイラーシステムにおいて熱交換パイプを保護する方法に関する。本発明は、外周面が少なくとも１つのセラミック構成部材によって囲まれている熱交換パイプを有する装置、及びセラミック構成部材に更に関する。
【背景技術】
【０００２】
ボイラーシステムにおける熱交換パイプの機能のうちの１つは、水を蒸発させることであり、別の機能は蒸発した水を過熱することである。下流のタービンを有するより大きいボイラーシステムの熱交換パイプ内の温度は、下流のタービンの効率が温度の上昇とともに高まるため、可能な限り高い必要がある。
【０００３】
廃棄物及びバイオマスの焼却炉等の、固体燃料を燃焼させる焼却炉に特に関連する１つの欠点は、熱交換パイプが腐食することである。多くの研究の過程で、この腐食は、パイプにくっついたままである灰及び塩の堆積物によって誘発されることが立証されている。燃焼排ガス中のＨＣｌ及びＳＯ２等の気相化合物は、これらの堆積物の組成に影響を与えるが、これらの部品に対して直接的に腐食攻撃するものではない。
【０００４】
廃棄物及びバイオマスの焼却炉プラントでは１０００時間あたり最高１ミリメートルの腐食速度が観察される場合がある。
【０００５】
腐食に対する保護を助けるために、肉盛溶接として又は溶射によって塗布されるセラミック断熱要素及び金属コーティングが用いられる。
【０００６】
特許文献１は、噛み合う半体シェル要素から作られる予め焼結した保護構成部材を記載している。好ましくは炭化ケイ素から作られるこれらのシェル要素は、晒される負荷に耐えるために必要とされる材料が比較的厚くするとともに重くなければならないため、実際には特に成功していないことが分かっている。保護構成部材は、モルタルで裏込めされているものである。噛み合う構成はいかなる熱膨張も可能としないため、高い動作温度によって、シェルにクラック、また更には破裂が生じる。
【０００７】
重なり合う炭化ケイ素の半体シェルから作られる別のセラミック保護スリーブが特許文献２に記載されている。
【０００８】
特許文献３及び特許文献４に記載されているような、壁上のセラミック断熱要素は、炉の壁に対して効果的であることが分かっている。他方で、燃焼排ガスが全ての面から流れる熱交換パイプへのセラミック保護シェルの使用は、特に過熱領域では実現可能ではない。熱交換パイプは、鋼構造の静的負荷に加えて、洗浄中に過熱領域において機械的負荷に晒される。
【０００９】
過熱領域においてパイプに対して機械的に作用して堆積物を除去する叩き機構が広く用いられている。堆積物を除去する試みにおいては水及び蒸気ブロワーを用いる方法も用いられている。これは付加的な化学的ストレスを引き起こす。これらのストレスは、セラミック断熱要素を用いて過熱領域において腐食から保護することができる領域を大幅に制限する。
【００１０】
放熱ダクトでは、肉盛溶接は効果的な腐食保護措置であることが分かっている。材料２．４８５８（インコネル６２５）が、それ自体最適な溶接材料として確立されている。
【００１１】
しかし、過熱領域及び蒸発領域において高い動作圧力下で直面するような、４００℃を超える材料温度は、この材料が提供する腐食保護を大幅に制限する。２．４６０６（インコネル６８６）等の他の溶接充填材料の使用は、他の充填材料に勝るいかなる大きな改善も提供しない。
【００１２】
腐食保護方法として、溶射方法がより頻繁に用いられている。種々のボイラー部品上の腐食保護層として様々な材料組成物を用いた実験によって、そのような保護層が短時間後に予測不能に不良をきたす可能性があることが明らかになっている。したがって、溶射によって塗布されるそのような種類の保護層はまた、長期間の、動作上信頼性のある腐食に対する保護を提供することができない。
【００１３】
腐食保護方法は、蒸気発生器の有効性にも影響を与える。ほとんどの廃棄物及びバイオガス燃焼プラントは、腐食の影響を制限するために、４０バールで４００℃という蒸気温度でしか動作しない。蒸気パラメーターが上昇すれば、ボイラーパイプ内の腐食速度も実質的に上昇し、それによって、プラントの動作上の可用性が低下する。腐食から保護する既知の措置は、これに関して満足のいく改良を提供するものではなかった。
【先行技術文献】
【特許文献】
【００１４】
【特許文献１】独国特許第３８２３４３９号
【特許文献２】独国実用新案第２０２００８００６０４４号
【特許文献３】独国特許出願公開第１９８１６０５９号
【特許文献４】欧州特許出願公開第０９８１０１５号
【発明の概要】
【発明が解決しようとする課題】
【００１５】
したがって、本発明が対処する課題は、４００℃を優に上回る温度においてであっても蒸気ボイラーシステム内の熱交換パイプの腐食を大幅に低減することである。
【課題を解決するための手段】
【００１６】
この課題は、少なくとも２つの対向する面から燃焼排ガスが方向付けられるセラミック構成部材によって囲まれている少なくとも１つの熱交換パイプを有するボイラーシステムにおいて熱交換パイプを保護する方法であって、ガスを、セラミック構成部材に隣接するスペース内に給送する、方法によって解決される。これに関連して、本発明では、ガスという用語は、気相の流体、液状の流体、及びこれらの２つの間の任意の凝集状態の任意の流体、並びに種々の蒸気の形態であるものと理解される。
【００１７】
本発明は、支持されることなく燃焼室を通り、好ましくは燃焼室の天井から吊り下げられる熱交換パイプであっても、ガスが熱交換パイプとセラミック要素との間に供給される場合にセラミック構成部材によって効果的に保護することができるという認識に基づくものである。
【００１８】
煙道内に自由に吊り下げられる熱交換パイプは一端においてのみアクセス可能である。ガスが熱交換パイプとセラミック要素との間の領域に給送される場合、このガスがセラミック要素間の第１の隙間を通って燃焼室内に即座に逃げ込み、熱交換パイプの全てに効果的な保護を提供しないというリスクがある。その結果、ガスを熱交換パイプの任意の領域に、特に極端な熱ストレスに晒される領域に送達することは簡単であるため、ガスの供給はボイラーシステムのメンブレン壁上の熱交換パイプにのみ用いられる。
【００１９】
極端な熱ストレスに晒される、ボイラー内部に配置されている熱交換パイプの領域は、メンブレン壁から大きく離れており、したがって供給されるガスが到達するのが困難である。その上、燃焼室の煙道ダクトにガスを導入し過ぎると、システムの効率に対して悪影響がある。
【００２０】
しかし、適切な圧力及びセラミック要素の設計であれば、ガスが、最も大きい熱負荷に晒される熱交換パイプの領域に送達されることができ、この場合、ガスによって僅かな過度の圧力が生じ、燃焼排ガスがセラミック構成部材を通って熱交換パイプに逃げることを防止するという点で、熱交換パイプとセラミック要素との間の隙間の内部で熱交換パイプを保護することが発見された。
【００２１】
上記室は種々の部品を含むことができる。室は、好ましくは、熱交換パイプ及びセラミック構成部材のみからなる。
【００２２】
ガスが、熱交換パイプとセラミック要素との間の最も高温の地点に送達されれば特に有利である。この結果、ガスは、熱交換パイプが特に熱ストレス下にある地点において最も大きい圧力下に置かれる。ボイラーシステムの構造に応じて、ガスを、燃焼排ガス圧力が最も高い地点、すなわちセラミック要素に対する反対圧力が最も高い地点に送達することも有利であり得る。
【００２３】
セラミック構成部材は、供給されたガスがセラミック構成部材を通って経路付けされるように構成することができる。しかし、セラミック構成部材は通常、複数のセラミック要素から構成されるため、送達されたガスがセラミック要素間に尚早に逃げ出し、結果として熱交換パイプの領域の全てはガスに晒されない可能性があるというリスクがある。好ましくはセラミック要素間に塗布されて上記セラミック要素同士を結合するモルタルの層であっても、ガスが逃げることを防止することができない場合が多い。
【００２４】
したがって、セラミック構成部材に含まれるパイプにガスを導入することが示唆される。このパイプはセラミックから作ることができ、例えば、複数のパイプ要素から構成することもできる。しかし、このパイプは好ましくは金属パイプである。このパイプはセラミック構成部材によって包囲され、その内部は、そこを通るガスによって冷却されるため、ガスを、金属パイプ内で、熱交換パイプの、最も高い熱負荷下にある位置まで送達することができる。そこからガスを分散させることができ、ガスは、セラミック構成部材が気密なケーシングを形成する場合であっても熱交換パイプを保護するものとして機能し続ける。このパイプは好ましくは熱交換パイプ間に配置される。パイプは好ましくは流入熱交換パイプと流出熱交換パイプの中間に配置される。
【００２５】
最も高い反対圧力の地点で熱交換パイプとセラミック要素との間の領域に給送されるガスは、燃焼排ガスが熱交換パイプの長さ全体に沿って熱交換パイプに到達することを防止するために、熱交換パイプに沿って、熱交換パイプとセラミック構成部材との間の隙間に流れることができる。
【００２６】
特に非常に長い熱交換パイプの場合は、ガスを複数の地点で導入することが有利であり得る。したがって、ガスは、熱交換パイプの長さに沿って規定された距離に配置されるガスパイプの複数の孔を通って供給されることが示唆される。バリア空気として働くガスは、この場合、放射過熱器まで配置される複数の給送手段によって送達することができる。この送達は、成形レンガパッケージとして構成することができるセラミック構成部材内の中央空気供給チャネルと過熱パイプとの間の孔又は穴を通して行うことができる。これによって、セラミック構成部材に不良がある場合、損傷がある位置の上であってもバリア空気が供給されることが確実となる。
【００２７】
本発明の基礎となる課題は、熱交換パイプを有する装置であって、熱交換パイプの外周面が少なくとも１つのセラミック構成部材によって囲まれており、熱交換パイプ及びセラミック構成部材に隣接するスペースへのガス供給部を含む、装置によっても解決される。本装置は、１つの側がセラミック構成部材によって保護されるだけでなく、その外周面も少なくとも１つのセラミック構成部材によって囲まれる、熱交換パイプに関する。このように、熱交換パイプの外周面全体がセラミック構成部材によって囲まれて保護されるが、ガスの給送は、燃焼排ガスがセラミック構成部材の隙間を通って熱交換パイプに逃げ込むことができないことを確実にする。
【００２８】
熱交換パイプの外周面はセラミック構成部材によって囲まれているため、セラミック構成部材内で熱交換パイプの方向に最初にガスの給送が行われ、その後でガスが熱交換パイプの長さ方向に流れ戻ってセラミック構成部材の隙間にガス圧が形成され、したがって燃焼排ガスが到達することが防止されることが示唆される。
【００２９】
したがって、ガスの給送部はファンを含むべきである。上記ファンは、過度の量のガスがセラミック構成部材を流れて燃焼室に入らないように、他方では、熱交換パイプの長さにわたって十分な反対圧力が形成されるようにガス圧を調整することを可能にし、燃焼排ガスが熱交換パイプに侵入することを防止する。
【００３０】
この目的を簡単に実現するために、ガス供給部が、セラミック構成部材内を通るガスパイプを含むことが示唆される。セラミック構成部材内の経路付けによってガスパイプが保持され、ガスパイプがセラミック構成部材のセラミックによって支持されることが可能となる。
【００３１】
多くの用途において、燃焼室内に吊り下げられている熱交換パイプは、水又は蒸気を燃焼室内へ方向付けるとともに水又は蒸気を燃焼室から除去するようにＵ字形に曲がっている。そのような構成の場合、ガス給送部は屈曲した領域において終端することが示唆される。これは、特に大きな負荷がかかる屈曲領域を、供給されたばかりのガスによって冷却し、及び／又は好ましくは、この負荷位置において反対圧力を形成することを特に可能にし、これは燃焼排ガスが熱交換パイプまで入ることを防止する。
【００３２】
セラミック構成部材に不良がある場合であってもバリア空気が十分に供給されることを確実にするために、ガスパイプは、熱交換パイプの長さに沿って互いから距離を置いて位置決めされる複数の孔を含むことが示唆される。これらの孔は好ましくは、放射過熱器まで設けられるか、又は熱交換パイプの長さに沿って設けられる。
【００３３】
供給されるガスは通常は空気である。しかし、酸素等の、燃焼を促すか又は燃焼に影響を与えるガスを用いてもよい。したがって例えば、燃焼排気洗浄装置の後の燃焼排ガス又は特に再循環される燃焼排ガスもガスとして導入することができる。
【００３４】
本発明による方法及び装置の双方に関して、セラミック構成部材は、好ましくは８５％超の炭化ケイ素を含有し、嵌合する波形トラフによって互いに固定される弓状の波形部の断面を有する少なくとも２つの直方体のセラミック要素からなり、それによって、２つの熱交換パイプセクションを２つの対向する波形トラフに配置することができ、ガス給送パイプセクションを上記波形トラフの対間の２つの対向する波形トラフに配置することができる。
【００３５】
そのようなセラミック構成部材を用いて、熱交換パイプセクションを保護することができ、ガスを導入することができ、セラミック要素間にガス圧を形成して燃焼排ガスが熱交換パイプセクションに流れ込むことを特に簡単に防止することができる。これに関して、セラミック構成部材は好ましくは、熱交換パイプとセラミック要素との接触が回避されるように構成される。
【００３６】
方法及び有利な実施形態、並びにセラミック要素は図面に示され、以下で説明される。
【図面の簡単な説明】
【００３７】
【図１】天井から吊るされている過熱コイルを有するボイラーシステムの第１のダクトを示す図である。
【図２】線Ａ−Ａに沿った図１のダクトの断面図である。
【図３】熱交換パイプをセラミック要素とともに示す拡大概略図である。
【図４】曲げパイプのセラミック要素の断面図である。
【図５】直線パイプのセラミック要素の断面図である。
【発明を実施するための形態】
【００３８】
図１に示されているボイラーシステム１は、格子２、燃焼室３、及び天井４から吊り下げられている過熱コイル５からなる。過熱コイル５は、モルタルによって互いに結合されている複数のセラミック要素７からなるセラミック構成部材６によって囲まれている。セラミック構成部材６は線８を介してファン９に接続されており、過熱コイル５の熱交換パイプ１０はボイラーシステム１１に接続されている。
【００３９】
この構成の場合、ファン９からチャネル１２を介して、及びガスパイプ１３から、熱交換パイプ１０とセラミック構成部材６との間に空気を給送することが可能である。セラミック構成部材６は、互いに面一であるが接続されていない複数のセラミック要素７からなり、セラミック要素７間のモルタルが多くの場合に信頼性のあるシールを形成しないため、漏出の場合には、空気がセラミック構成部材６を通って流れて燃焼排ガスダクト１４に入ることが可能であり、それによって、燃焼排ガスが燃焼排ガス１４から逃げて熱交換パイプ１０に達することを防止する。
【００４０】
図２は、燃焼排ガスダクト１４の天井４をボイラーシステム１１とともに示している。天井４は好ましくは、天井４を開放することによって熱交換パイプ１０だけではなくガスパイプ１３も燃焼排ガスダクト１４に一直線に通すことができるように構成されている。これに関して、燃焼排ガスダクト１４内の熱交換パイプ１０が、熱交換パイプ１０及びセラミック要素７の領域において縦方向に変化する場合であっても完全に覆われることを確実にするために、セラミック構成部材６のセラミック要素７が天井４を通って突出する場合に有利である。
【００４１】
図３に示されている過熱コイル５の一部の下端は、２つのアーチ状のプレート２０、２１及び１つの立方体プレート２２を示している。各プレートは２つのセラミック要素２３、２４、２５、２６及び２７、２８からなる。アーチ状のプレート２０、２１は、ねじ接続部２９、３０及び３１、３２を介して互いに取り付けられている２つの要素２３、２４及び２５、２６からなり、それによって、各セラミック要素は、燃焼排ガスを方向付けることができるセラミック構成部材６の２つの対向する面を形成する。
【００４２】
２つの直方体のセラミック要素２７、２８から形成される直方体プレート２２は、開位置で示されており、Ｕ字形の熱交換パイプ１０の流入部及び流出部の円形のスペース４８、４９を形成するように互いに嵌合しているセラミック要素２７、２８の内部の波形部３４、並びにスペース４８、４９間の、ガスパイプ１３のスペース５０を示している。熱交換パイプ１０のＵ字形のアーチ及びガスパイプ１３の経路付けは破線で示されている。これは、ガス給送部１２のガスパイプ１３がアーチ３５の領域の開口３６で終端することを示している。
【００４３】
図４は、ねじ接続部２９及び３０を有するアーチ状のプレート２０の断面を示している。要素２３及び２４の内部は、熱交換パイプ１０を収容する２つの波形トラフ３６、３７及び３８、３９、並びにガスパイプ１３を収容する２つの波形トラフ間の２つの波形トラフ４０、４１をそれぞれ有する。
【００４４】
対応する構成において、図５は、確実に係止するように互いに取り付けられている２つのセラミック要素２７、２８から構成される直方体プレート２２を示しており、直方体プレートの内部には、燃焼排ガスパイプ１０の波形トラフ４２〜４５及びガスパイプの波形トラフ４６、４７が備え付けられている。
【００４５】
ガスパイプ１３は、セラミック構成部材が不良をきたした場合に、不良領域上の熱交換パイプの領域にガスが供給され続けることを確実にするために、その長さにわたって広がる穴５１、５２、５３を含むことができる。
【図１】
2014139504.tif 000003
【図２】
2014139504.tif 000004
【図３】
2014139504.tif 000005
【図４】
2014139504.tif 000006
【図５】
2014139504.tif 000007
【外国語明細書】
2014139504000001.pdf